(57)【要約】【課題】精度良くシートを積載することのできるシート積載装置、シート処理装置及び画像形成装置を提供する。【解決手段】シートを積載する昇降可能な上排紙積載台２５０に積載されたシートの後端位置を規制する後端規制部２７０を、シートを排出する上排紙ローラ対２１１の下方に、上排紙積載台２５０の昇降方向に沿って設ける。そして、上排紙積載台２５０に最初にシートを排出する際には、上排紙積載台２５０を昇降させる昇降手段を制御し、上排紙積載台２５０を上排紙ローラ対２１１の近傍の第１積載位置まで上昇させ、最初のシートの排出が完了するまでに上排紙積載台２５０を後端規制部２７０によるシートの後端位置の規制が可能な第２積載位置まで下降させる。【選択図】図６
2009126590.tif 000002
【特許請求の範囲】
【請求項１】
シートを積載する昇降可能なシート積載部と、
シートを前記シート積載部に排出するシート排出手段と、
前記シート積載部を昇降させる昇降手段と、を備え、
順次積載されるシートのうち最初のシートを排出する際には、前記シート積載部を前記シート積載部の積載面が第１積載位置になるよう移動させ、最初のシートの排出が完了するまでに積載されたシートの上面が前記第１積載位置の下方となる第２積載位置になるよう前記シート積載部を下降させることを特徴とするシート積載装置。
【請求項２】
前記シート積載部に排出されるシートの後端位置を検知する位置検知手段を備え、
前記位置検知手段からの信号に基づいて前記シート積載部を前記第１積載位置から前記第２積載位置まで下降させることを特徴とする請求項１記載のシート積載装置。
【請求項３】
前記昇降手段の制御を、シート情報に基づいて選択的に行うことを特徴とする請求項１又は２記載のシート積載装置。
【請求項４】
前記シート積載部上の既積載のシートの有無を検知する有無検知手段を備え、
前記昇降手段の制御を、前記有無検知手段からの信号に基づき前記シート積載部上に既積載のシートがないと判断した場合に行うことを特徴とする請求項１ないし３のいずれか１項に記載のシート積載装置。
【請求項５】
前記シート排出手段の下方に前記シート積載部の昇降方向に沿って設けられ、前記シート積載部に積載されたシートの後端位置を規制する後端規制部を備え、
前記第２積載位置は、前記後端規制部によるシートの後端位置の規制が可能な位置であることを特徴とする請求項１ないし４のいずれか１項に記載のシート積載装置。
【請求項６】
シートを処理するシート処理部と、処理されたシートを積載する前記請求項１ないし５のいずれか１項に記載のシート積載装置を備えたことを特徴とするシート処理装置。
【請求項７】
シートに画像を形成する画像形成部と、前記画像形成部によって画像を形成されたシートに処理を施す前記請求項６記載のシート処理装置とを備えたことを特徴とする画像形成装置。
【請求項８】
シートに画像を形成する画像形成部と、前記画像形成部によって画像が形成されたシートを積載する請求項１ないし５のいずれか１項に記載のシート積載装置とを備えたことを特徴とする画像形成装置。
【発明の詳細な説明】
【技術分野】
【０００１】
本発明は、シート積載装置、シート処理装置及び画像形成装置に関し、特にシート積載部に高速でシートを排出するものに関する。
【背景技術】
【０００２】
従来、複写機、レーザビームプリンタ、ファクシミリ及びこれらの複合機等の画像形成装置においては、画像を形成したシートに対し綴じ処理、穿孔処理等の処理を行うシート処理装置を設けたものがある。そして、このシート処理装置には、シートが順次積載されるシート積載部を備えたシート積載装置が設けられている。
【０００３】
ここで、このような従来のシート積載装置において、シートをシート積載部に排出する際、シート積載部表面との摩擦によるシートのシート積載部上での丸まりや膨らみにより、シート積載性が低下する場合がある。そこで、このようなシート積載性の低下を防ぐための方法として、例えば排出されるシートとシート積載部との当接角度を小さくするようにしたものがある（特許文献１参照）。
【０００４】
図９は、このような従来のシート積載装置の構成を示す図である。図９において、２５０Ａは昇降可能な排紙トレイであり、排紙トレイ２５０ＡにシートＳを排出する場合は、まず排紙トレイ２５０Ａを、排出ローラ２１１の近傍位置まで上昇させる。これにより、排紙トレイ２５０Ａの表面、若しくは排紙トレイ２５０Ａに既に排紙されているシートと、排紙されているシート先端との当接角度をなだらかにし、シートＳと排紙トレイ２５０Ａとの当接角度を小さくするようにしている。
【０００５】
【特許文献１】特開平０８−０２６５６９号公報
【発明の開示】
【発明が解決しようとする課題】
【０００６】
ところで、このような従来のシート積載装置では、ジョブの１枚目のシート（あるいは束排出する場合は１部目のシート束）が排出される前に排紙トレイを上昇させ、１枚目のシートが排出ローラを通過し終えるタイミングで、所定位置まで下降させている。なお、排紙トレイを下降させると、次に排出されるシートと既積載シートの当接角度が大きくなるが、シートとシート積載部表面間の摩擦係数よりもシート同士の摩擦係数が小さいので、次のシートを排出してもシート積載性が低下するおそれはない。
【０００７】
しかし、近年、画像形成装置においては、技術の進歩により画像形成の高速化が図られており、このような画像形成の高速化に伴い画像形成装置本体から排出されるシートの排出速度も高速化している。例えば、１分間に１００枚以上のシートを排出するようにした画像形成装置もある。
【０００８】
ここで、このような高速、高生産性の画像形成装置本体に従来のシート積載装置を備えたシート処理装置を取り付けた場合、画像形成装置本体からシートが高速搬送されると、排紙トレイが所定位置まで下がりきらないうちに次にシートが排出される場合がある。即ち、次のシートの排出が開始される前に、排紙トレイの所定位置までの下降が終了していない場合がある。
【０００９】
ここで、排紙トレイの下降が終了していれば、シート後端は、図９に示すシート積載装置本体の側面に設けられた整合面２５２に自重により当接するのでシートＳの後端位置は安定する。しかし、排紙トレイ２５０Ａが所定位置まで下降していない場合には、シートＳの後端部分は整合面２５２に規制されず自由な状態となる。
【００１０】
さらに、搬送されてくるシートがノンカーボン紙等の薄紙であったり、表面をコーティングしているコート紙である場合、これらのシートは通常扱われているシートに比べて極端にシートの剛性が小さく、またカールが発生した場合にはカールも大きくなる。
【００１１】
このようなシートを高速で排出する場合、シートの後端が排出ローラを通過した時に排紙トレイの降下を始めると、排紙トレイは所定位置まで達しないため排出ローラ２１１との間隔が確保できず、シートの後端部分が排出ローラ２１１と干渉するおそれがある。このため、シートＳの後端部が、図１０の（ａ）に示すように、浮き上がる場合がある。そして、このように後端部が浮き上がった状態で次のシートが排出されると、シートの整合が乱れると共に、図１０の（ｂ）に示すように、排出ローラ２１１との接触によるシートＳのメクレや傷が生じる。
【００１２】
そこで、本発明は、このような現状に鑑みてなされたものであり、精度良くシートを積載することのできるシート積載装置、シート処理装置及び画像形成装置を提供することを目的とするものである。
【課題を解決するための手段】
【００１３】
本発明は、シートを積載する昇降可能なシート積載部と、シートを前記シート積載部に排出するシート排出手段と、前記シート積載部を昇降させる昇降手段と、を備え、順次積載されるシートのうち最初のシートを排出する際には、前記シート積載部を前記シート積載部の積載面が第１積載位置になるよう移動させ、最初のシートの排出が完了するまでに積載されたシートの上面が前記第１積載位置の下方となる第２積載位置になるよう前記シート積載部を下降させることを特徴とするものである。
【発明の効果】
【００１４】
本発明のように、最初にシートを排出する際は、シート積載部をシート排出手段の近傍まで上昇させ、最初のシートの排出が完了するまでにシート積載部をシートの後端位置の規制が可能な位置まで下降させることにより、精度良くシートを積載することができる。
【発明を実施するための最良の形態】
【００１５】
以下、本発明を実施するための最良の形態を図面を用いて詳細に説明する。
【００１６】
図１は、本発明の実施の形態に係るシート処理装置を備えた画像形成装置の一例である複写機の構成を示す図である。
【００１７】
図１において、１００は複写機（以下、複写機という）、１００Ａは複写機本体であり、この複写機本体１００Ａには、シート処理装置であるフィニッシャ２００が接続されている。
【００１８】
このような複写機１００において、給紙信号が出力されると、複写機本体１００Ａに設けられたカセット１０２ａ〜１０２ｄから画像形成部１０１にシートが給送される。この後、このシートは、それぞれ画像形成手段としてのイエロー、マゼンタ、シアン、ブラックの感光ドラム１０５〜１０８等によって、４色のトナー像が転写されて、定着装置１１０に搬送される。
【００１９】
次に、定着装置１１０において転写画像が永久定着され、画像が定着されたシートは、この後、排出ローラ対１１２により複写機本体１００Ａから排出され、フィニッシャ２００に搬送される。
【００２０】
ここで、フィニッシャ２００は、複写機本体１００Ａから排出されたシートを順に取り込み、取り込んだ複数のシートを整合して１つの束に束ねる処理を行うようになっている。また、束ねたシート束の後端（シート搬送方向の上流端）を綴じるステイプル処理、取り込んだシートの後端付近に孔をあけるパンチ処理、ソート・ノンソート処理、シート束を折る折り処理、２つ折り製本処理などの各種の処理を行うようになっている。また処理されたシートを積載するシート積載装置２００Ｄを備えている。
【００２１】
このフィニッシャ２００は、複写機本体１００Ａからのシートを装置内部に取り込むための搬送パス２４０を備えており、搬送パス２４０には、入口ローラ対２０１及び搬送ローラ対２０２，２０５〜２０８が設けられている。そして、入口ローラ対２０１の下流にはパンチユニット２３０が設けられており、パンチユニット２３０により必要に応じて搬送されるシートの後端部に穴あけ（穿孔）処理を行う。
【００２２】
また、パンチユニット２３０の下流には、シートの搬送方向と直交する幅方向の位置を検知するためのシート横位置検知手段３００が配置されている。その下流には、シート横位置検知手段３００の検知情報に基づいてシートの幅方向の位置の補正を行うシフト手段２３１が配置されている。なお、このシフト手段２３１は、シフト搬送ローラ対２０３，２０４を有しており、このシフト搬送ローラ対２０３，２０４によりシートを下流側に搬送しながら、不図示の移動手段によりシートを幅方向にシフトさせ、幅方向の位置を規制している。
【００２３】
また、搬送パス２４０の終端には切換部材２２１が設けられており、この切換部材２２１により、下流に繋がれた上排紙パス２２３と下排紙パス２２４とに経路を切り換えるようになっている。ここで、上排紙パス２２３は、シート排出手段としての上排紙ローラ対２１１によりシート積載部としての上排紙積載台２５０への排紙を行うためのものであり、下排紙パス２２４は、処理トレイ２５３への排紙を行うためのものである。
【００２４】
なお、２２２は下排紙パス２２４の終端に設けられ、搬送パスを下排紙パス２２５又はサドル排紙パス２２６に切り換える切換部材である。この切換部材２２２の切替によりシートは搬送ローラ２０９，２１０により処理トレイ２５３へ排出、または中綴じ製本部２００Ｂに搬送される。
【００２５】
ここで、処理トレイ２５３に排出された場合、シートは順次整合処理されながら束状に収容され、複写機本体１００Ａに設けられた操作部１５０（図１参照）による設定に応じて、仕分け処理やステイプル処理が行われる。この後、シート束は束排紙ローラ対２５４により下排紙積載台２５１に排出される。なお、ステイプル処理は、シート処理部の一例である綴じ部を構成するステイプラ２６０により行われるものであり、ステイプラ２６０は幅方向に移動可能となっており、シートの任意の位置にステイプルすることができる。
【００２６】
上排紙パス２２３と上排紙ローラ対２１１からのシートを受け取る上排紙積載台２５０は、上下方向に移動可能（昇降可能）に構成されており、シートが順次排出積載されるに連れて下降する。また、処理トレイ２５３からのシートを受け取る下排紙積載台２５１も、上下方向に移動可能に構成されており、シートが順次排出積載されるに連れて下降する。
【００２７】
そして、このような排紙積載台２５０，２５１を備えることにより、フィニッシャ２００は大量のシートを積載することができる。なお、排紙積載台２５０，２５１に積載されたシートは、その後端を、フィニッシャ２００のフィニッシャ本体２００Ｃの側壁面に、排紙積載台２５０，２５１の昇降方向に沿って設けられた後端規制部２７０によって規制されることにより、整列される。
【００２８】
一方、シート束を中綴じする場合、即ち中綴じ製本モードの場合は、切換部材２２２の切換によりシートは、まずサドル排紙パス２２６を通過し、中綴じ製本部２００Ｂへ送られる。次に、シートは、中綴じ製本部２００Ｂの収納ガイド２８０内に搬入されてステイプラ２６１により綴じられ、この後、折り部２８１により、ステイプル処理を施した位置を中心にして折り畳まれることにより製本される。
【００２９】
なお、本実施の形態においては、フィニッシャ２００は、処理トレイ２５３へシートを排出する際、搬送途中のシートを複数枚重ね合わせて処理トレイ２５３へ排出することができるようになっている。次に、このようなバッファ動作を、図２を用いて説明する。
【００３０】
まず、バッファ処理する１枚目のシートＳ１が搬送されると、このシートＳ１は、搬送ローラ２０６，２０７，２０８にて、図２の（ａ）に示す矢印Ａ方向に搬送され、この後、その後端が、切換部材２２０から抜けない状態で停止する。
【００３１】
次に、切換部材２２０が図２の（ｂ）に示す矢印Ｂ方向に切り換わり、この後、搬送ローラ２０７，２０８が逆転する。これにより、シートＳ１は、矢印Ｃ方向に搬送され、バッファ経路２２７に送り込まれる。そして、この後、バッファ経路２２７に設けられた搬送ローラ２１５の逆転及び停止により、図２の（ｃ）に示すように、そのシート端部が切換部材２２０を抜けた位置近傍にて停止する。
【００３２】
次に、切換部材２２０が図２の（ｃ）に示すように、矢印Ｄ方向に切り換わり、この後、搬送ローラ２１５の正回転により、シートＳ１は矢印Ｅ方向に搬送される。これにより、シートＳ１はバッファ経路２２７から搬送パス２４０に戻る。そして、このように搬送パス２４０に戻る際、次のシートＳ２が矢印Ｆ方向に搬送され、図２の（ｄ）に示すように、切換部材２２０の近傍でシート同士が重なり合う状態になる。この後、重なり合った２枚のシートＳ１，Ｓ２が矢印Ｇ方向に搬送され、バッファ動作が終了する。
【００３３】
なお、シートＳ１の矢印Ｅ方向への搬送開始のタイミングを変更することにより、シートＳ１と次シートＳ２の重なった時のズレ量を任意に変更可能となる。又、上記の動作を何回か繰り返すことにより、３枚、４枚と更に枚数を増やしてシートを重ねあわすことが可能となる。
【００３４】
図３は、複写機１００の制御ブロック図であり、図３において、１３０は複写機本体１００Ａに設けられた制御部である。この制御部１３０は複写機本体１００Ａに設けられた各モータ、センサ、ソレノイド、クラッチ等を制御することにより、画像形成動作を行っている。
【００３５】
また、操作部１５０は、画像形成に関する各種機能を設定するための複数のキー、設定状態を表示するための表示部等を有している。そして、ユーザによる各キーの操作に対応するキー信号を制御部１３０に出力すると共に、制御部１３０からの信号に基づき対応する情報を表示部に表示する。
【００３６】
また、図３において、２４５はフィニッシャ２００に設けられた制御部であり、この制御部２４５は、複写機本体１００Ａに設けられた制御部１３０と情報のやり取りを行うことによってフィニッシャ２００の駆動制御を行うものである。なお、この制御部２４５は、フィニッシャ２００に設けられた各モータ、センサ、ソレノイド、クラッチ等を制御することにより、シート処理動作を行っている。
【００３７】
なお、図４は、このようなフィニッシャ２００に設けられた制御部２４５の詳細な制御ブロック図である。そして、図４に示すようにフィニッシャ２００に設けられた制御部２４５には、シート位置検知手段２９０、紙面検知手段２９１、上排紙積載台位置検知手段２９２、積載台シート有無検知手段２９３、積載台移動手段２９４が接続されている。
【００３８】
ここで、シート位置検知手段２９０は搬送中のシートＳの搬送方向の位置を検出するための位置検知手段であり、後述する図６に示すように搬送パス２４０内に配置されている。また、紙面検知手段２９１はシートが積載されていない時の上排紙積載台２５０の上面、若しくはシートが積載されている時の最上位のシートの位置を検知するものである。そして、この紙面検知手段２９１により、上排紙積載台２５０の上面、若しくは載置シートの最上位のシートの位置（第２積載位置）と、上排紙ローラ対２１１との高さ間隔が一定となるように制御している。
【００３９】
上排紙積載台位置検知手段２９２は、上排紙積載台上にシートが無い時の上排紙積載台２５０の待機位置に配置されている。通常は、この上排紙積載台位置検知手段２９２の検知位置を起点として最初のシートが積載される第１積載位置までの上排紙積載台２５０の移動制御がなされる。積載台シート有無検知手段２９３は、上排紙積載台上に既積載のシートの有無を検知するための有無検知手段である。
【００４０】
ところで、シート積載装置２００Ｄは、順次排出されるシートのうち最初のシートを積載する際、最初のシートが上排紙ローラ対２１１に到達する前に、上排紙積載台２５０を上排紙ローラ対２１１の下方の第１積載位置まで上昇させるようにしている。また、この後、最初のシートの排出が完了するまでに、上排紙積載台２５０を、後端規制部２７０によるシートの後端位置の規制が可能な第２積載位置まで下降させるようにしている。
【００４１】
そして、このように構成することにより、最初のシートと上排紙積載台２５０の積載面との当接角度をなだらかにするとともに、シートの後端部の浮き上がりによる整合の乱れや上排出ローラ対２１１との接触によるメクレや傷の発生を無くすことができる。更に、以降の次シートの排出及び積載も安定して行うことができる。なお、本実施の形態において、フィニッシャ２００の制御部２４５は、特に、上排紙積載台２５０に排出されるシートの種類（コート紙／非コート紙）、坪量、サイズ等のシートの特性に応じて、上記のような制御を行うようにしている。
【００４２】
次に、このような本実施の形態に係るフィニッシャ２００の上排紙積載台２５０に対するシート積載動作について図５に示すフローチャートを用いて説明する。
【００４３】
まず、操作部１５０によりシートの特性設定、画像形成モード設定及びその他、諸条件が設定されると、フィニッシャ２００の制御部２４５は、このような設定に基づいて画像形成を開始する（Ｓ１０１）。
【００４４】
次に、上排紙積載台２５０の上昇制御が必要かを判断する（Ｓ１０２）。そして、例えばシート情報として入力されたシートの特性により、上排紙積載台２５０の上昇制御が必要を判断すると（Ｓ１０２のＹ）、次に上排紙積載台２５０上に既積載のシートがあるかを判断する（Ｓ１０３）。即ちこの後、上排紙積載台２５０に積載されるシートがジョブの最初のシートかを判断する。
【００４５】
そして、上排紙積載台２５０上に既積載のシートがない、即ち次に排出されるシートがジョブの最初のシートであると判断すると（Ｓ１０３のＮ）、上排紙積載台２５０に対する１枚目のシートの排出時の第１積載位置への上昇制御を開始する（Ｓ１０４）。これにより、上排紙積載台２５０は、ジョブの最初のシートが上排紙ローラ対２１１に到達する前に、図６の（ａ）に示す待機位置から、図６の（ｂ）に示す上排紙ローラ対２１１の下方の第１積載位置までの上昇を完了する。
【００４６】
なお、シートの特性により上排紙積載台２５０の上昇制御が不要と判断した場合（Ｓ１０２のＮ）、又は上排紙積載台上に既積載のシートがあると判断した場合（Ｓ１０３のＹ）、以下の上排紙積載台２５０の第１積載位置への上昇制御は行わない（Ｓ１２０）。
【００４７】
次に、このように１枚目のシートの排出時における、上排紙積載台２５０の第１積載位置への上昇制御が完了すると（Ｓ１０５のＹ）、図７の（ａ）に示すようにジョブの最初のシートＳ１の排出が開始される（Ｓ１０６）。
【００４８】
ここで、このようにシートＳ１の排出が開始された際、上排紙積載台２５０は、既述したように初期の待機位置、若しくは２枚目以降の第２積載位置より上昇した第１積載位置にあるため、シートＳ１と上排紙積載台２５０の表面のなす角度θは、小さくなる。即ち、このように上排紙積載台２５０を上昇させることにより、シートの排出時の姿勢が略直線状となるため、安定してシートを排出させることができ、この結果、排出されるシートＳ１は、丸まり、たわみ等が無く、排出される。
【００４９】
次に、図７の（ｂ）に示すように、シートＳ１の排出方向下流側の後端が、シート位置検知手段２９０を通過し、このようにシートＳ１の後端がシート位置検知手段２９０を通過すると、シート位置検知手段２９０から検知信号が制御部２４５に入力される。
【００５０】
そして、制御部２４５は、このシート位置検知手段２９０から検知信号に基づき、１枚目のシートＳ１の搬送パス内の位置を検知すると（Ｓ１０７のＹ）、上排紙積載台２５０の下降制御を行う（Ｓ１０８）。これにより、２枚目のシートの排出時の第２積載位置、即ち後端規制部２７０によるシートの後端位置の規制が可能な位置への下降制御が開始され（Ｓ１０９）、この下降制御により上排紙積載台２５０は図７の（ｂ）に示す第１積載位置から下降する。
【００５１】
ここで、本実施の形態においては、図８の（ａ）に示すように、シートＳ１の排出方向下流側の後端が上排紙ローラ対２１１を抜ける直前には、上排紙積載台２５０は既に下降を終了している。そして、このような２枚目のシートの排出時の第２積載位置への下降制御が終了した後（Ｓ１１０のＹ）、シートＳ１の上排紙積載台２５０への排出が終了する（Ｓ１１１）。
【００５２】
なお、上排紙積載台２５０の下降が終了したとき、図８の（ｂ）に示すように２枚目のシートＳ２が途中まで搬送されており、この後、図８の（ｂ）に示す第２積載位置にある上排紙積載台２５０に対する２枚目のシートＳ２の排出が開始される（Ｓ１１２）。ここで、このように２枚目のシートＳ２が排出される際、上排紙積載台２５０は既に移動が終了しているため、この状態から次のシートＳ２の排出を開始することができ、これにより次のシートＳ２を排出するまでの時間を短縮することができる。
【００５３】
なお、これまでの説明においては、シートを順次排出する場合について述べてきたが、既述したバッファ動作により、複数枚のシート（シート束）がまとめて順次排出される場合でも、同様な制御を行うこともできる。
【００５４】
以上説明したように、本実施の形態では、上排紙積載台２５０に最初にシートを排出する際には、上排紙積載台２５０を上排紙ローラ対２１１の下方近傍まで上昇させるようにしている。また、最初のシートの排出が完了するまでに、上排紙積載台２５０を後端規制部２７０によるシートの後端位置の規制が可能な第２積載位置まで下降させるようにしている。
【００５５】
これにより、安定してシートを排出することができると共に、シートの後端部の浮き上がりによる整合の乱れや上排紙ローラ対２１１との接触によるメクレや傷の発生を無くすことができる。更に、次のシートＳ２以降も安定してシートを排出することができ、精度良くシートを積載することができる。
【００５６】
又、搬送されてくるシートの特性により、即ち搬送されるシートが、積載台上で丸まったり、撓んだりして、若しくはカールが大きい等の積載性を乱すおそれのないシートの場合には、既述した上排紙積載台２５０の制御は行わない。そして、この上排紙積載台２５０の制御を選択的に行うことにより、不要な上排紙積載台２５０の昇降動作を行うことがなくなり、エネルギー損失、騒音等を極力低減させることができる。
【００５７】
さらに、これまでの説明においては、操作部から入力されるシート情報に基づいて制御を行っていたが、本発明は、これに限らず、画像形成装置の操作部、若しくはフィニッシャに上記制御を選択する手段を設けるようにしても良い。
【００５８】
また、これまでの説明においては、フィニッシャに設けたシート積載装置について説明したが、画像形成装置本体に設けられたシート積載装置に適用できるのは言うまでもない。さらに、これまでの説明においては、フィニッシャ２００の制御を制御部２４５により行う場合について述べてきたが、本発明はこれに限らず、複写機本体１００Ａに設けられた制御部１３０により直接フィニッシャ２００を制御するようにしてもよい。
【図面の簡単な説明】
【００５９】
【図１】本発明の実施の形態に係るシート処理装置を備えた画像形成装置の一例である複写機の構成を示す図。
【図２】上記シート処理装置であるフィニッシャのバッファ動作を説明する図。
【図３】上記複写機の制御ブロック図。
【図４】上記フィニッシャに設けられた制御部の詳細な制御ブロック図。
【図５】上記フィニッシャのシートの積載動作を説明するフローチャート。
【図６】上記フィニッシャのシートの排出動作を説明する第１の図。
【図７】上記フィニッシャのシートの排出動作を説明する第２の図。
【図８】上記フィニッシャのシートの排出動作を説明する第３の図。
【図９】従来のシート積載装置の構成を示す図。
【図１０】上記従来のシート積載装置のシートの排出動作を示す図。
【符号の説明】
【００６０】
１００    複写機
１００Ａ  複写機本体
１０１    画像形成部
１３０    制御部
１５０    操作部
２００    フィニッシャ
２００Ｃ  フィニッシャ本体
２００Ｄ  シート積載装置
２１１    上排紙ローラ対
２４５    制御部
２５０    上排紙積載台
２７０    後端規制部
２９０    シート位置検知手段
２９３    積載台シート有無検知手段
Ｓ１      １枚目のシート
Ｓ２      ２枚目のシート
【図１】
2009126590.tif 000003
【図２】
2009126590.tif 000004
【図３】
2009126590.tif 000005
【図４】
2009126590.tif 000006
【図５】
2009126590.tif 000007
【図６】
2009126590.tif 000008
【図７】
2009126590.tif 000009
【図８】
2009126590.tif 000010
【図９】
2009126590.tif 000011
【図１０】
2009126590.tif 000012